(57)【要約】【課題】一般家庭の電力使用者に省エネルギーを促すのに効果的な電力使用状況表示装置，電力使用状況表示方法およびインターフォンを提供する。【解決手段】電力使用状況表示装置１０は、分電盤２０に設置された電力センサー２１により測定された使用電力量に基づいて各種演算を行う演算部１２と、演算部１２に接続された表示部１４とを備える。演算部１２は、使用電力量に基づいて所定時間ごとの当日の使用電力データと所定時間ごとの過去数日間の平均使用電力データとを求め、求めた所定時間ごとの過去数日間の平均使用電力データを示す第１の棒グラフと求めた所定時間ごとの当日の使用電力データを示す第２の棒グラフとを作成し、作成した第１および第２の棒グラフを並べて表示部１４に表示させる。【選択図】  図１
2006017645.tif 000002
【特許請求の範囲】
【請求項１】
分電盤（２０）に設置された電力センサー（２１）により測定された使用電力量を受信するための受信部（１１）と、
該受信部により受信された前記使用電力量に基づいて各種演算を行う演算部（１２）と、
該演算部に接続された表示部（１４）と、
を備え、
前記演算部が、前記使用電力量に基づいて所定時間ごとの当日の使用電力データと所定時間ごとの過去数日間の平均使用電力データとを求め、該求めた所定時間ごとの過去数日間の平均使用電力データを示す第１の棒グラフと該求めた所定時間ごとの当日の使用電力データを示す第２の棒グラフとを作成し、該作成した第１および第２の棒グラフを並べて前記表示部に表示させる、
ことを特徴とする、電力使用状況表示装置。
【請求項２】
前記演算部が、過去数日間の総平均使用電力データをさらに求め、該求めた過去数日間の総平均使用電力データが最大値となるように前記第１および第２の棒グラフを前記表示部に表示させることを特徴とする、請求項１記載の電力使用状況表示装置。
【請求項３】
前記演算部が、当日の現時点までの使用電力データの合計が前記過去数日間の総平均使用電力データよりも大きくなった場合に、前記所定時間ごとの当日の使用電力データを示す前記第２の棒グラフを２段に分けて前記表示部に表示させることを特徴とする、請求項２記載の電力使用状況表示装置。
【請求項４】
前記演算部が、前記所定時間ごとの当日の使用電力データについては、前記所定時間ごとの過去数日間の平均使用電力データに基づいて現時点以降の所定時間ごとの予想使用電力データを求め、該求めた所定時間ごとの予想使用電力データを現時点までの前記所定時間ごとの当日の使用電力データを示す前記第２の棒グラフに追加して前記表示部に表示させることを特徴とする、請求項１乃至３いずれかに記載の電力使用状況表示装置。
【請求項５】
受信部（１１）が、分電盤（２０）に設置された電力センサー（２１）により測定された使用電力量を受信するステップ（Ｓ１１）と、
演算部（１２）が、前記受信部により受信された前記使用電力量に基づいて所定時間ごとの当日の使用電力データと所定時間ごとの過去数日間の平均使用電力データと過去数日間の総平均使用電力データと求め、該求めた所定時間ごとの当日の使用電力データ，該求めた所定時間ごとの過去数日間の平均使用電力データおよび該求めた過去数日間の総平均使用電力データを記憶部（１３）に記憶するステップ（Ｓ１３）と、
前記演算部が、前記求めた過去数日間の総平均使用電力データが最大値となるように前記求めた所定時間ごとの過去数日間の平均使用電力データを示す第１の棒グラフおよび前記求めた所定時間ごとの当日の使用電力データを示す第２の棒グラフを作成し、該作成した第１および第２の棒グラフを並べて表示部（１４）に表示させるステップ（Ｓ１４）と、
を備えることを特徴とする、電力使用状況表示方法。
【請求項６】
前記演算部が、当日の現時点までの使用電力データの合計が前記過去数日間の総平均使用電力データよりも大きくなった場合に、前記所定時間ごとの当日の使用電力データを示す前記第２の棒グラフを２段に分けて前記表示部に表示させることを特徴とする、請求項５記載の電力使用状況表示方法。
【請求項７】
前記演算部が、前記所定時間ごとの当日の使用電力データについては、前記所定時間ごとの過去数日間の平均使用電力データに基づいて現時点以降の所定時間ごとの予想使用電力データを求め、該求めた所定時間ごとの予想使用電力データを現時点までの前記所定時間ごとの当日の使用電力データを示す前記第２の棒グラフに追加して前記表示部に表示させることを特徴とする、請求項５または６記載の電力使用状況表示方法。
【請求項８】
請求項１乃至４いずれかに記載の電力使用状況表示装置の機能を有するインターフォン（５０）であって、
前記受信部がインターフォン親機（６０）に内蔵されており、
前記演算部の機能が前記インターフォン親機の親機コントローラ（６２）に追加されており、
前記所定時間ごとの過去数日間の平均使用電力データを示す前記第１の棒グラフおよび前記所定時間ごとの当日の使用電力データを示す前記第２の棒グラフが前記インターフォン親機のディスプレイ（６３）に表示される、
ことを特徴とする、インターフォン。
【発明の詳細な説明】
【技術分野】
【０００１】
本発明は、電力使用状況表示装置，電力使用状況表示方法およびインターフォンに関し、特に、一般家庭の電力使用者に省エネルギーを促すのに好適な電力使用状況表示装置，電力使用状況表示方法およびインターフォンに関する。
【背景技術】
【０００２】
従来、使用電力量を表示するための装置としては、以下に示す特許文献１〜３に開示されているものがある。
【特許文献１】特開２００２−１５２９７０号公報
【特許文献２】特開２０００−１９３６９５号公報
【特許文献３】特開平８−６３１３２号公報
【０００３】
上記特許文献１（特開２００２−１５２９７０号公報）は、縦軸または横軸の一方に電力料金を他方に太陽光発電システムの導入前と導入後を並べてとった棒グラフにおいて、導入前の所要電力料金を表す線分、導入後の所要電力料金を表す線分の先端から、各電力料金と同額を示す位置上に線を引いて各々導入前電力料金ライン、導入後電力料金ラインとし、両ライン間に、太陽光発電システムの導入効果を数値や文字で表示することにより、住宅に太陽光発電システムを導入した場合の効果を分かり易く表示し、具体的な効果を一目で示すことのできる表示物を開示する。
上記特許文献２（特開２０００−１９３６９５号公報）は、少なくとも瞬時電力を検出し、検出した使用量を、無線送信し、受信手段が前記無線送信された信号を受信すると、前記使用量を、前記瞬時電力またはそれを積算した電力量により、予め記憶する目標値と比較して表示させることからなり、電力使用状態監視時間帯を予め定め、該監視時間帯内の前記比較結果を少なくともグラフにより表示するようにすることにより、使用電力量が一般に大きいビル、工場などで電力使用状態を同時的に監視するに適した電力使用状態監視装置を開示する。
上記特許文献３（特開平８−６３１３２号公報）は、ＣＰＵで所定時限毎の使用電力量とそれ以降の使用電力量を予測し、予測した使用電力量に基づき所定時限の使用電力量が基準電力量を超過すると判断したとき、表示手段における該時限近傍の表示部分を拡大表示することにより、デマンド監視を容易に行うことができ、信頼性を向上させた電力デマンド監視装置を開示する。
【発明の開示】
【発明が解決しようとする課題】
【０００４】
しかしながら、上記特許文献１に開示された表示物は、太陽光発電システムの導入前後の年間電力料金を示す２つの棒グラフの先端に導入前電力料金ラインおよび導入後電力料金ラインを引いて太陽光発電システムの導入前後での使用電力量削減効果を視覚的に見易いようにしたものであり、たとえば年間での使用電力量削減効果を分かり易く表示する上では有効であるかもしれないが、太陽光発電システムの導入をしていない一般家庭の電力使用者に省エネルギーを促すのに必ずしも効果的ではない。
上記特許文献２に開示された電力使用状態監視装置は、予め定めた電力使用状態監視時間帯内の実績使用電力量と予め記憶した目標値との比較結果をグラフにより表示するものであり、使用電力量の目標値が１年を通して設定し易い大きいビルや工場などで電力使用状態を同時的に監視するには適しているかもしれないが、使用電力量の目標値が１年を通して必ずしも設定し易くない一般家庭の電力使用者に省エネルギーを促すのに必ずしも効果的ではない。
上記特許文献３に開示された電力デマンド監視装置は、所定時限の使用電力量が基準電力量を超過すると判断したときにこの時限近傍の表示部分を拡大表示するようにしたものであり、デマンド監視には有効であるかもしれないが、一般家庭の電力使用者に省エネルギーを促すのに必ずしも効果的ではない。
【０００５】
本発明の目的は、一般家庭の電力使用者に省エネルギーを促すのに効果的な電力使用状況表示装置，電力使用状況表示方法およびインターフォンを提供することにある。
【課題を解決するための手段】
【０００６】
本発明の電力使用状況表示装置は、分電盤（２０）に設置された電力センサー（２１）により測定された使用電力量を受信するための受信部（１１）と、該受信部により受信された前記使用電力量に基づいて各種演算を行う演算部（１２）と、該演算部に接続された表示部（１４）とを備え、前記演算部が、前記使用電力量に基づいて所定時間ごとの当日の使用電力データと所定時間ごとの過去数日間の平均使用電力データとを求め、該求めた所定時間ごとの過去数日間の平均使用電力データを示す第１の棒グラフと該求めた所定時間ごとの当日の使用電力データを示す第２の棒グラフとを作成し、該作成した第１および第２の棒グラフを並べて前記表示部に表示させることを特徴とする。
ここで、前記演算部が、過去数日間の総平均使用電力データをさらに求め、該求めた過去数日間の総平均使用電力データが最大値となるように前記第１および第２の棒グラフを前記表示部に表示させてもよい。
前記演算部が、当日の現時点までの使用電力データの合計が前記過去数日間の総平均使用電力データよりも大きくなった場合に、前記所定時間ごとの当日の使用電力データを示す前記第２の棒グラフを２段に分けて前記表示部に表示させてもよい。
前記演算部が、前記所定時間ごとの当日の使用電力データについては、前記所定時間ごとの過去数日間の平均使用電力データに基づいて現時点以降の所定時間ごとの予想使用電力データを求め、該求めた所定時間ごとの予想使用電力データを現時点までの前記所定時間ごとの当日の使用電力データを示す前記第２の棒グラフに追加して前記表示部に表示させてもよい。
【０００７】
本発明の電力使用状況表示方法は、受信部（１１）が、分電盤（２０）に設置された電力センサー（２１）により測定された使用電力量を受信するステップ（Ｓ１１）と、演算部（１２）が、前記受信部により受信された前記使用電力量に基づいて所定時間ごとの当日の使用電力データと所定時間ごとの過去数日間の平均使用電力データと過去数日間の総平均使用電力データと求め、該求めた所定時間ごとの当日の使用電力データ，該求めた所定時間ごとの過去数日間の平均使用電力データおよび該求めた過去数日間の総平均使用電力データを記憶部（１３）に記憶するステップ（Ｓ１３）と、前記演算部が、前記求めた過去数日間の総平均使用電力データが最大値となるように前記求めた所定時間ごとの過去数日間の平均使用電力データを示す第１の棒グラフおよび前記求めた所定時間ごとの当日の使用電力データを示す第２の棒グラフを作成し、該作成した第１および第２の棒グラフを並べて表示部（１４）に表示させるステップ（Ｓ１４）とを備えることを特徴とする。
ここで、前記演算部が、当日の現時点までの使用電力データの合計が前記過去数日間の総平均使用電力データよりも大きくなった場合に、前記所定時間ごとの当日の使用電力データを示す前記第２の棒グラフを２段に分けて前記表示部に表示させてもよい。
前記演算部が、前記所定時間ごとの当日の使用電力データについては、前記所定時間ごとの過去数日間の平均使用電力データに基づいて現時点以降の所定時間ごとの予想使用電力データを求め、該求めた所定時間ごとの予想使用電力データを現時点までの前記所定時間ごとの当日の使用電力データを示す前記第２の棒グラフに追加して前記表示部に表示させてもよい。
【０００８】
本発明のインターフォンは、本発明の電力使用状況表示装置の機能を有するインターフォン（５０）であって、前記受信部がインターフォン親機（６０）に内蔵されており、前記演算部の機能が前記インターフォン親機の親機コントローラ（６２）に追加されており、前記所定時間ごとの過去数日間の平均使用電力データを示す前記第１の棒グラフおよび前記所定時間ごとの当日の使用電力データを示す前記第２の棒グラフが前記インターフォン親機のディスプレイ（６３）に表示されることを特徴とする。
【発明の効果】
【０００９】
本発明の電力使用状況表示装置，電力使用状況表示方法およびインターフォンは、次の効果を有する。
（１）電力使用者は、表示部に表示された所定時間ごとの過去数日間の平均使用電力データ（第１の棒グラフ）を基準として所定時間ごとの当日の使用電力データ（第２の棒グラフ）の大小を容易に把握することができるため、電力を節約すべき時間帯を容易に把握することができる。
（２）過去数日間の平均使用電力データを基準として当日の使用電力データを表示することにより、使用電力量の目標値が１年を通して必ずしも設定し易くない一般家庭においても使用電力量の目標値を容易に設定できるため、一般家庭の電力使用者に省エネルギーを促すのに効果的である。
（３）所定時間ごとの予想使用電力データを現時点までの所定時間ごとの当日の使用電力データを示す第２の棒グラフに追加して表示部に表示させることにより、第２の棒グラフが示す当日の使用電力量の予想合計値に基づいて現時点以降の電力の使用を抑制すべきか否かを容易に判断することができる。
（４）本発明の電力使用状況表示装置の機能をインターフォンに組み込むことにより、インターフォンの多機能化を図ることができる。
【発明を実施するための最良の形態】
【００１０】
一般家庭の電力使用者に省エネルギーを促すのに効果的であるという目的を、所定時間ごとの過去数日間の平均使用電力データを示す第１の棒グラフと所定時間ごとの当日の使用電力データを示す第２の棒グラフとを並べて表示部に表示させることにより実現した。
【実施例１】
【００１１】
以下、本発明の電力使用状況表示装置，電力使用状況表示方法およびインターフォンの実施例について図面を用いて説明する。
本発明の一実施例による電力使用状況表示装置１０は、図１に示すように、ある一般家庭の分電盤２０に設置された送信部２２から微弱無線により送信される電力センサー２１で測定された使用電力量を受信するための受信部１１と、受信部１１から入力される使用電力量に基づいて各種演算を行う演算部１２と、演算部１２に接続された記憶部１３および表示部１４とを備える。
ここで、記憶部１３は、演算部１２から入力される使用電力データ（たとえば、使用電力量や、使用電力量から求めた使用電気料金など）を所定時間ごと（たとえば、１時間ごと）に毎日記憶するとともに、演算部１２での各種演算の結果を記憶する。また、表示部１４は、演算部１２から入力される各種表示データ（後述する第１および第２の棒グラフなど）を表示する。
【００１２】
次に、本実施例による電力使用状況表示装置１０の動作（本発明の一実施例による電力使用状況表示方法）について、図２に示すフローチャートを参照して説明する。なお、以下の説明では、使用電力データとして使用電力量を用いる。
分電盤２０に設置された電力センサー２１により測定された使用電力量は、電力センサー２１から送信部２２に出力されたのちに、微弱無線により電力使用状況表示装置１０に送信されて、受信部１１で受信される（ステップＳ１１）。
受信部１１により受信された使用電力量は演算部１２に出力される。演算部１２は、たとえば１時間ごとの使用電力量を求めたのち、求めた１時間ごとの使用電力量を記憶部１３に記憶させる（ステップＳ１２）。表１に、記憶部１３に記憶された１時間ごとの使用電力量の一例を示す。
【表１】
2006017645.tif 000003
【００１３】
演算部１２は、記憶部１３に記憶されている１時間ごとの使用電力量を用いて、３時間ごとの当日の使用電力量と、３時間ごとの過去３日間の平均使用電力量と、当日の総使用電力量と、過去３日間の総平均使用電力量とを求めたのち、求めた３時間ごとの当日の使用電力量，３時間ごとの過去３日間の平均使用電力量，当日の総使用電力量および過去３日間の総平均使用電力量を記憶部１３に記憶する（ステップＳ１３）。表２に、記憶部１３に記憶された３時間ごとの当日の使用電力量，３時間ごとの過去３日間の平均使用電力量，当日の総使用電力量および過去３日間の総平均使用電力量の一例を示す。なお、この例は３月４日（当日）の１６時現在における使用電力量を示すため、３月４日の時間帯「１５時」の３時間ごとの使用電力量は、１５時から１６時までの使用電力量である１ｋｗｈとなっている。
【表２】
2006017645.tif 000004
【００１４】
続いて、演算部１２は、３時間ごとの過去３日間の平均使用電力量を３時間ごとに色分けして示した横向きの第１の棒グラフと、３時間ごとの当日の使用電力量を３時間ごとに色分けして示した横向きの第２の棒グラフとを作成し、作成した第１および第２の棒グラフに並べて表示部１４に表示させる（ステップＳ１４）。このとき、演算部１２は、過去３日間の総平均使用電力量が最大値とするように第１および第２の棒グラフを表示部１４に表示させる。図３に、表２に示した３月４日の１６時現在における表示部１４の表示例を示す。
【００１５】
以上説明したように、本実施例による電力使用状況表示装置１０では、電力使用者は、表示部１４に表示された３時間ごとの過去３日間の平均使用電力量（第１の棒グラフ）を基準として３時間ごとの当日の使用電力量（第２の棒グラフ）の大小を容易に把握することができるため、電力を節約すべき時間帯を把握して、その時間帯に使用していた電化製品などをチェックして明日以降の使用電力量の節約することができる。
また、過去３日間の平均使用電力量を基準として当日の使用電力量を表示することにより、使用電力量の目標値が１年を通して必ずしも設定し易くない一般家庭においても使用電力量の目標値を容易に設定できるため、一般家庭の電力使用者に省エネルギーを促すのに効果的である。
【００１６】
なお、本実施例による電力使用状況表示装置および電力使用状況表示方法は、以下のような変更が可能である。
（１）基準とする平均使用電力量
過去３日間の平均使用電力量を基準として当日の使用電力量を表示したが、基準とする平均使用電力量は過去３日間のものには限らず、たとえば過去１週間や過去１０日間のものでもよいが、前日や過去２日間のものでは基準となる使用電力量（目標値）がばらつき易くなり、また、たとえば過去１ヶ月間のものでは基準となる使用電力量（目標値）が固定化するため、過去３日間から過去１０日間のものを使用するのが好ましい。
（２）所定時間ごとの使用電力量
３時間ごとの使用電力量を用いたが、たとえば２時間ごとや４時間ごとの使用電力量を用いてもよい。ただし、３時間ごとの使用電力量を用いたのは、時間を区切ることで使用状況が分かり易くなることからであり、この時間が短いと比較対象が多くなり煩雑で分かりにくくなり、また、この時間が長いと実績値（使用電力量）が大きいか小さいか判断しにくくなるため、２時間ごとから４時間ごとの使用電力量を用いるのが好ましい。
【００１７】
（３）予想使用電力量の表示
演算部１２は、３時間ごとの当日の使用電力量については現時点までを表示部１４に表示させたが、３時間ごとの予想使用電力量を現時点までの第２の棒グラフに追加して表示部１４に表示させるようにしてもよい。
このときの３時間ごとの予想使用電力量としては、たとえば、以下のようにして予想した値を用いることができる。
表２および図３に示したように、現時点が１６時であれば、１５時から１８時までの予想使用電力量と１８時以降の３時間ごとの予想使用電力量を以下のようにして定める。
（ａ）１５時から１８時までの予想使用電力量
１５時から１６時までの使用電力量はそのまま用い、１６時から１８時までの予想使用電力量は過去３日間の平均使用電力量の１５時から１８時までの平均使用電力量の３分の２を用いる。この両者を足すことによって、１５時から１８時までの予想使用電力量とする。すなわち、図４に示すように、１５時から１６時までの使用電力量１ｋｗｈに過去３日間の平均使用電力量の１５時から１８時までの平均使用電力量５ｋｗｈの３分の２である３．４ｋｗｈを足した４．４ｋｗｈ（１ｋｗｈ＋３．４ｋｗｈ）を１５時から１８時までの予想使用電力量とする。
（ｂ）１８時以降の３時間ごとの予想使用電力量
図４に示すように、過去３日間の１８時以降の３時間ごとの平均使用電力量をそのまま用いる。
【００１８】
（４）第２の棒グラフの２段表示
当日の現時点までの使用電力量の合計が過去３日間の総平均使用電力量よりも大きくなった場合には、演算部１２は、当日の現時点までの使用電力量の合計が最大値となるように第１および第２の棒グラフを表示部１４に表示させるようにしてもよいが、図５に示すように、３時間ごとの当日の使用電力量を示す横向きの第２の棒グラフを２段に分けて表示部１４に表示させてもよい。
なお、図５に示した例は、当日の１５時までの使用電力量の合計が４２ｋｗｈとなり過去３日間の総平均使用電力量である４０ｋｗｈを超えた場合を示すものであり、当日の使用電力量の４０ｋｗｈを超えた部分の第２の棒グラフは２段目（「当日（２）」の段）に表示される。
これにより、一般家庭の電力使用者は、第２の棒グラフの２段目の表示を見ることにより、過去３日間の総平均使用電力量を超えた分の使用電力量を容易に把握することができる。
【００１９】
（５）区切りの時間以降の現時点までの使用電力量の表示
演算部１２は、３時間ごとの区切りの時間以降の現時点までの使用電力量については、１時間ごとの使用電力量を第２の棒グラフに追加して表示部１４に表示したが、たとえば３０分ごとの使用電力量を求めて同様に表示させてもよい。この場合には、演算部１２は、３０分ごとの使用電力量を求めたのち、求めた３０分ごとの使用電力量を記憶部１３に記憶させる。
【実施例２】
【００２０】
次に、本発明の一実施例によるインターフォンについて、図６を参照して説明する。
本実施例によるインターフォン５０は、インターフォン親機６０とインターフォン子機７０とを備える。インターフォン親機６０は、インターフォン子機７０と接続されたインターフォン・インターフェース（インターフォン・Ｉ／Ｆ）６１と、インターフォン・インターフェース６１と接続された親機コントローラ６２と、親機コントローラ６２と接続された液晶ディスプレイ６３，受信部６４，記憶部６５および表示モード切替ボタン６６とを備える。
ここで、親機コントローラ６２は、図１に示した演算部１２の機能が追加されたものであり、また、受信部６４および記憶部６５は、図１に示した受信部１１および記憶部１３と同様の機能を有する。
表示モード切替ボタン６６は液晶ディスプレイ６３の表示モードを親機コントローラ６２に指示するものであり、表示モード切替ボタン６６が押下されるたびに、親機コントローラ６２は、液晶ディスプレイ６３の表示モードを待機モード→省エネナビ表示モード→掲示板表示モード→回覧板表示モード→待機モードのように切り替える。ここで、省エネナビ表示モードは、たとえば図３乃至図５に示したような電力使用状況を示す画面を表示するモードである。掲示板表示モードおよび回覧板表示モードはそれぞれ、たとえば、インターフォン５０にホームサーバ（不図示）を接続してインターネットを介して受信されたサーバの掲示板サイトおよび回覧板サイトを閲覧するモードである。
【００２１】
以上のように構成された本実施例によるインターフォン５０では、図１に示した受信部１１および記憶部１３が受信部６４および記憶部６５としてインターフォン親機６０に内蔵されているとともに、図１に示した演算部１２の機能がインターフォン親機６０の親機コントローラ６２に追加されているため、一般家庭の電力使用者は、表示モード切替ボタン６６を押下して液晶ディスプレイ６３の表示モードを省エネナビ表示モードに切り替えることにより、図３乃至図５に示したような電力使用状況を示す画面を液晶ディスプレイ６３に表示させることができる。
【００２２】
なお、本発明の電力使用状況表示装置の機能をインターフォン５０に持たせたが、以下のようにしてパーソナルコンピュータに持たせるようにしてもよい。
受信部１１をパーソナルコンピュータに接続して、パーソナルコンピュータに演算部１２と同様の処理をさせて、図３乃至図５に示したような電力使用状況を示す画面をパーソナルコンピュータに接続されたディスプレイに表示させる。
【００２３】
以上の説明では、使用電力データとして使用電力量を用いたが、使用電力量から使用電気料金を求めて、求めた使用電気料金を表示部１４に表示させてもよい。また、使用電力データとして使用電力量および使用電気料金の両方を用いてもよい。
【産業上の利用可能性】
【００２４】
本発明の電力使用状況表示装置，電力使用状況表示方法およびインターフォンは、一般家庭の電力使用者に省エネルギーを促すのに好適な電力使用状況表示装置，電力使用状況表示方法およびインターフォンとして使用することができる。
【図面の簡単な説明】
【００２５】
【図１】本発明の一実施例による電力使用状況表示装置の構成を示すブロック図である。（実施例１）
【図２】図１に示した電力使用状況表示装置１０の動作を説明するためのフローチャートである。（実施例１）
【図３】表示部１４への表示の一例を示す図である。（実施例１）
【図４】予想使用電力量を追加した第２の棒グラフを表示する一例を示す図である。（実施例１）
【図５】第２の棒グラフを２段表示する一例を示す図である。（実施例１）
【図６】本発明の一実施例によるインターフォンの構成を示すブロック図である。（実施例２）
【符号の説明】
【００２６】
１０  電力使用状況表示装置
１１，６４  受信部
１２  演算部
１３，６５  記憶部
１４  表示部
２０  分電盤
２１  電力センサー
２２  送信部
５０  インターフォン
６０  インターフォン親機
６１  インターフォンＩ／Ｆ
６２  親機コントローラ
６３  液晶ディスプレイ
６６  表示モード切替ボタン
７０  インターフォン子機
Ｓ１１〜Ｓ１４  ステップ
【図１】
2006017645.tif 000005
【図２】
2006017645.tif 000006
【図３】
2006017645.tif 000007
【図４】
2006017645.tif 000008
【図５】
2006017645.tif 000009
【図６】
2006017645.tif 000010